(57)【要約】【課題】壁埋込型照明ユニットの見栄えを良好にする。【解決手段】この壁埋込型照明ユニット１は、壁体２に埋め込むユニット本体２０と、このユニット本体２０の内部に設けたＬＥＤ光源２１と、ユニット本体２０の光照射用の開口部２０ａ、２０ａに止付部材５０・・を介して設けた蓋体２２、２２とを備えている。そして、ＬＥＤ光源２１及び止付部材５０・・を、蓋体２２、２２の外周枠４０、４０の内周端４０ａ、４０ａよりも外側に配置している。これにより、外部から蓋体２２、２２の面材４１、４１を通してＬＥＤ光源２１及び止付部材５０・・が見え難くなっている。【選択図】図３
2011154808.tif 000002
【特許請求の範囲】
【請求項１】
壁体（２）に埋め込むユニット本体（２０）と、このユニット本体（２０）の内部に設けたＬＥＤ光源（２１）と、前記壁体（２）の表面に開口する前記ユニット本体（２０）の光照射用の開口部（２０ａ）に被せるように設けた蓋体（２２）とを備え、前記蓋体（２２）は、不透光性の外周枠（４０）と、この外周枠（４０）の枠内に嵌め込まれた透光性を有する面材（４１）とからなり、前記ＬＥＤ光源（２１）を、前記蓋体（２２）の外周枠（４０）の内周端（４０ａ）よりも外側に配置したことを特徴とする壁埋込型照明ユニット。
【請求項２】
前記ユニット本体（２０）の開口部（２０ａ）に前記蓋体（２２）を止め付ける止付部材（５０）・・を、前記蓋体（２２）の裏側において前記外周枠（４０）の内周端（４０ａ）よりも外側に配置した請求項１記載の壁埋込型照明ユニット。
【請求項３】
前記ＬＥＤ光源（２１）を、帯板状に形成して、前記ユニット本体（２０）の内面に沿って取り付けた請求項１又は２記載の壁埋込型照明ユニット。
【請求項４】
前記ユニット本体（２０）に、その開口部（２０ａ）を囲むようにして壁紙巻き付け用の張出枠（２３）を取り付けて、前記壁体（２）への装着状態において、前記壁体（２）の表面に貼り付けた壁紙（１２）を、前記張出枠（２３）に巻き付けながら前記開口部（２０ａ）に設けた前記蓋体（２２）の外周手前付近まで回り込ませるようにした請求項１乃至３のいずれかに記載の壁埋込型照明ユニット。
【請求項５】
前記ユニット本体（２０）を、前記開口部（２０ａ）（２０ａ）を前後面に有する筒形に形成して、その一方の開口部（２０ａ）に、前記蓋体（２２）を着脱可能に取り付けるとともに、他方の開口部（２０ａ）に、前記蓋体（２２）を固定若しくは着脱可能に取り付けた請求項１乃至４のいずれかに記載の壁埋込型照明ユニット。
【請求項６】
前記ユニット本体（２０）を、前記開口部（２０ａ）を前面に有する箱形に形成して、その開口部（２０ａ）に、前記蓋体（２２）を着脱可能に取り付けた請求項１乃至４のいずれかに記載の壁埋込型照明ユニット。
【請求項７】
請求項１乃至６のいずれかに記載の壁埋込型照明ユニット（１）（６０）を、壁体（２）に装着してなることを特徴とする壁構造。
【発明の詳細な説明】
【技術分野】
【０００１】
この発明は、例えば住宅屋内の内壁、間仕切り壁、腰壁等の壁体に埋め込まれて使用される壁埋込型照明ユニット及びこれを備えた壁構造に関する。
【背景技術】
【０００２】
従来の壁埋込型照明ユニットとしては、例えば特許文献１や特許文献２に開示されているものがある。これら照明ユニットは、筒形又は箱形のユニット本体の内部に、電球や放電灯等の光源を設けるとともに、ユニット本体の光照射用の開口部を、装飾板やガラス板等の透光性を有する面材で覆った構造となっている。
【０００３】
この種の照明ユニットを、住宅屋内の廊下や階段等に面した壁体に埋め込んで、光源を点灯させることで、光源からの光が面材を通して廊下や階段等の空間をスポット的に照らして、装飾性の高い空間を演出することができる。
【先行技術文献】
【特許文献】
【０００４】
【特許文献１】実用新案登録第３１０４１６９号公報
【特許文献２】実開平５−６５２２号公報
【発明の概要】
【発明が解決しようとする課題】
【０００５】
しかしながら、従来の壁埋込型照明ユニットにおいては、ユニット本体の内部に設けてある光源が、ユニット本体の開口部を覆う面材に対向するように配置されていることから、透明な面材若しくはユニット本体の内部が透けて見えるような面材を使用した場合、光源からの眩しい光が面材を通して直接目に入り易くなり、また外部から面材を通して光源が見え易くなって、見栄えが悪くなるといった不具合があった。
【０００６】
一方、見栄えを良好に維持するために、ユニット本体の内部が見え難い面材だけを使用すれば、面材の種類が制限されて、バリエーション展開を図り難いといった不具合があった。さらに、ユニット本体の内部空間を、各種装飾品を展示するための展示用空間として利用することもできず、使用性に乏しいといった不具合もあった。
【０００７】
そこで、この発明は、上記の不具合を解消して、見栄えが良好で、バリエーション展開が容易であり、使用性にも優れた壁埋込型照明ユニット及びこれを備えた壁構造の提供を目的とする。
【課題を解決するための手段】
【０００８】
この発明の壁埋込型照明ユニット１、６０は、壁体２に埋め込むユニット本体２０と、このユニット本体２０の内部に設けたＬＥＤ光源２１と、前記壁体２の表面に開口する前記ユニット本体２０の光照射用の開口部２０ａに被せるように設けた蓋体２２とを備え、前記蓋体２２は、不透光性の外周枠４０と、この外周枠４０の枠内に嵌め込まれた透光性を有する面材４１とからなり、前記ＬＥＤ光源２１を、前記蓋体２２の外周枠４０の内周端４０ａよりも外側に配置したことを特徴とする。
【０００９】
また、前記ユニット本体２０の開口部２０ａに前記蓋体２２を止め付ける止付部材５０・・を、前記蓋体２２の裏側において前記外周枠４０の内周端４０ａよりも外側に配置している。
【００１０】
さらに、前記ＬＥＤ光源２１を、帯板状に形成して、前記ユニット本体２０の内面に沿って取り付けている。
【００１１】
さらにまた、前記ユニット本体２０に、その開口部２０ａを囲むようにして壁紙巻き付け用の張出枠２３を取り付けて、前記壁体２への装着状態において、前記壁体２の表面に貼り付けた壁紙１２を、前記張出枠２３に巻き付けながら前記開口部２０ａに設けた前記蓋体２２の外周手前付近まで回り込ませるようにしている。
【００１２】
また、前記ユニット本体２０を、前記開口部２０ａ、２０ａを前後面に有する筒形に形成して、その一方の開口部２０ａに、前記蓋体２２を着脱可能に取り付けるとともに、他方の開口部２０ａに、前記蓋体２２を固定若しくは着脱可能に取り付けている。さらに、前記ユニット本体２０を、前記開口部２０ａを前面に有する箱形に形成して、その開口部２０ａに、前記蓋体２２を着脱可能に取り付けている。
【００１３】
この発明の壁構造は、上記の壁埋込型照明ユニット１、６０を壁体２に装着してなる。
【発明の効果】
【００１４】
この発明の壁埋込型照明ユニットにおいては、ＬＥＤ光源を、蓋体の透光性を有する面材に対向させないように、透光性を有しない外周枠の内周端よりも外側に配置しているので、蓋体の面材として透明若しくはユニット本体の内部が透けて見えるようなものを使用した場合でも、ＬＥＤ光源からの光が面材を通して直接目に入り難くなり、また外部から面材を通してＬＥＤ光源が見え難くなって、見栄えを良好に維持することができる。しかも、このように透明若しくはユニット本体の内部が透けて見えるような面材も支障なく使用できるので、面材の種類が制限されずに、バリエーション展開も容易となり、またユニット本体の内部空間を各種装飾品を展示するための展示用空間として有効に利用することも可能となって、使用性を高めることができる。
【００１５】
また、蓋体を止め付ける止付部材をＬＥＤ光源と同様に配置することで、外部から面材を通して止付部材が見え難くなり、見栄えをより一層向上することができる。さらに、帯板状のＬＥＤ光源をユニット本体の内面に沿って取り付けることで、ＬＥＤ光源を目立ち難くして、見栄えをより一層向上することができる。
【００１６】
さらにまた、壁体への装着状態において、ユニット本体に取り付けた壁紙巻き付け用の張出枠を利用して、壁体の表面に貼り付けた壁紙を、蓋体の外周手前付近まで回り込ませることで、照明ユニットと壁体との一体感を高めながら、同時に壁体の厚み感も強調することができ、見栄えをより一層向上することができる。
【図面の簡単な説明】
【００１７】
【図１】この発明の一実施形態に係る壁埋込型照明ユニットを備えた壁構造の斜視図である。
【図２】同じくその正面図である。
【図３】同じくその縦断面図である。
【図４】同じくその横断面図である。
【図５】壁埋込型照明ユニットの分解斜視図である。
【図６】ユニット本体の正面図である。
【図７】蓋体の背面図である。
【図８】他の実施形態に係る壁埋込型照明ユニットを備えた壁構造の縦断面図である。
【図９】同じくその横断面図である。
【発明を実施するための形態】
【００１８】
以下、この発明の実施形態を図面に基づいて詳細に説明する。この発明の一実施形態に係る壁埋込型照明ユニット１は、図１及び図２に示すように、住宅屋内における例えば廊下空間３と吹き抜け空間４との間の腰壁等の壁体２に、その表面から張り出すことがないように装着されている。
【００１９】
壁体２は、図３及び図４に示すように、枠状の芯材１０の前後面に表面パネル材１１、１１を張り付けてなる。表面パネル材１１、１１は、例えば石膏ボード等からなり、その表面全体には壁紙（クロス）１２、１２が夫々貼り付けられている。
【００２０】
この壁体２には、ユニット嵌込用の貫通孔部１３が前後方向（壁厚方向）に形成されている。貫通孔部１３は、表面パネル材１１、１１間に方形枠状の下地枠１４を組み込むとともに、表面パネル材１１、１１に互いに対向する方形状の開口を形成して、下地枠１４によって囲まれた空間部分を開放させることによって構成されている。なお、下地枠１４は、左右一対の縦枠桟１５、１５と、上下一対の横枠桟１６、１６とを組み付けてなり、上側の横枠桟１６には、配線挿通用貫通孔１６ａが形成されている。
【００２１】
壁埋込型照明ユニット１は、図３乃至図５に示すように、前後面に光照射用の開口部２０ａ、２０ａを有する短筒形のユニット本体２０と、このユニット本体２０の内部に設けたＬＥＤ光源２１と、ユニット本体２０の前後の開口部２０ａ、２０ａに被せるように設けた一対の蓋体２２、２２と、ユニット本体２０を前後から挟み込む一対の壁紙巻き付け用の張出枠２３、２３とを備えている。
【００２２】
ユニット本体２０は、左右一対の側面板３０、３０と、これら側面板３０、３０の上端部間に差し渡した上面板３１と、側面板３０、３０の下端部間に差し渡した下面板３２とを組み付けてなる。
【００２３】
このユニット本体２０の内周面には、その前端部分及び後端部分を除く中間部分において、枠内方向に突出する凸部３５が方形枠状に連続して（内周面の周方向全周に亘って）形成されている。そして、上面板３１における突部３５には、ＬＥＤ光源２１を収容するための下向き溝３６が形成され、側面板３０、３０及び下面板３２における凸部３５には、後述する止付部材５０・・を収容するための前面開放の切欠き溝３７・・が適宜形成されている。なお、上面板３１には、下地枠１４の配線挿通用貫通孔１６ａに対応した配線挿通用貫通孔３１ａが形成されている。
【００２４】
また、ユニット本体２０の前端面内周側には、前方に突出する方形枠状の突枠３８が形成され、ユニット本体２０の後端面内周側には、後方に突出する方形枠状の突枠３９が形成されている。
【００２５】
このユニット本体２０は、図３及び図４に示すように、壁体２の貫通孔部１３に内嵌されるようにして、壁体２に埋め込まれており、この埋込状態において、前後の開口部２０ａ、２０ａが壁体２の表面に開口している。
【００２６】
ＬＥＤ光源２１は、例えば薄肉帯板状に形成されており、その光照射面２１ａを下方へ向けながら、ユニット本体２０の上面板３１の下向き溝３６内に収容された状態で、上面板３１の内面に沿って取り付けられている。なお、このＬＥＤ光源２１には、図３に示すように、壁体２の内部に引き回してある配線１７が、壁体２側の配線挿通用貫通孔１６ａ及びユニット本体２０側の配線挿通用貫通孔３１ａを通して接続されている。
【００２７】
蓋体２２、２２は、不透光性の外周枠４０と、透光性を有する面材４１とからなる。外周枠４０は、左右一対の縦枠材４２、４２と、上下一対の横枠材４３、４３とを組み付けてなり、その内周面には内周溝が形成されている。面材４１は、例えばデザインガラス板からなり、その外周端部を外周枠４０の内周溝に差し入れるようにして、外周枠４０の枠内に嵌め込まれている。なお、面材４１としては、デザインガラス板に限らず、単なる透明若しくは半透明のガラス板や合成樹脂板、その他の透光性を有する各種面材を用いるようにしても良い。
【００２８】
そして、一方の蓋体２２は、その裏側において配された複数の止付部材５０・・によって、ユニット本体２０の前面側の開口部２０ａに着脱可能に取り付けられている。具体的に、一方の蓋体２２は、その外周枠４０の裏面をユニット本体２０の凸部３５の前端面に当接させた状態で、ユニット本体２０の内周面の前端部分に内嵌されている。また、他方の蓋体２２は、接着剤等によって、ユニット本体２０の後面側の開口部２０ａに固定されている。具体的に、他方の蓋体２２は、その外周枠４０の裏面をユニット本体２０の凸部３５の後端面に当接させた状態で、ユニット本体２０の内周面の後端部分に内嵌されている。なお、他方の蓋体２２は、接着剤を使用して固定するだけでなく、例えばビス止めや釘止めによって固定しても良い。また、一方の蓋体２２と同様に、その裏側において配した複数の止付部材５０・・によって、ユニット本体２０の後面側の開口部２０ａに着脱可能に取り付けるようにしても良い。
【００２９】
止付部材５０・・は、例えばジュラコンキャッチからなり、その雌側部材５１・・が、図６に示すように、ユニット本体２０の切欠き溝３７・・に収容された状態で、ユニット本体２０の内周面に取り付けられ、雄側部材５２・・が、図７に示すように、一方の蓋体２２の外周枠４０の裏面に取り付けられている。そして、一方の蓋体２２を、ユニット本体２０の前面側の開口部２０ａに嵌め込むことで、雌側部材５１・・と雄側部材５２・・とが係合して、蓋体２２が開口部２０ａに保持されるようになっている。なお、止付部材５０・・は、一方の蓋体２２の外周枠４０における縦枠材４２、４２の上端部分及び下側の横枠材４３の中央部分に対応した３箇所に配されているが、蓋体２２を開口部２０ａに安定して止め付けることができれば、その個数や配置位置は、上記に限定されるものではない。また、止付部材５０・・としては、ジュラコンキャッチに限らず、ボールキャッチやマグネットキャッチ等のその他の止付部材を用いるようにしても良い。
【００３０】
そして、このようにして蓋体２２、２２を設けた状態において、図２乃至図４に示すように、ＬＥＤ光源２１及び止付部材５０・・が、蓋体２２、２２の面材４１、４１に対向しないように、蓋体２２、２２の外周枠４０、４０の内周端４０ａ、４０ａよりも外側（内周端４０ａ、４０ａによって囲まれた範囲に対して枠外方向に外れた位置）に配置されている。
【００３１】
壁紙巻き付け用の張出枠２３、２３は、方形枠状に形成されていて、一方の張出枠２３の前端部には、前方へ向って縮径したテーパー面が周方向の全周に亘って形成され、他方の張出枠２３の後端部には、後方へ向って縮径したテーパー面が周方向の全周に亘って形成されている。
【００３２】
一方の張出枠２３は、図３及び図４に示すように、ユニット本体２０の前面側の開口部２０ａを外側から囲むようにして、ユニット本体２０の前側の突枠３８に外嵌されて、この突枠３８よりも前方へ張り出し、且つ、壁体２の表面よりも前方に張り出さないようにして取り付けられている。他方の張出枠２３は、ユニット本体２０の後面側の開口部２０ａを外側から囲むようにして、ユニット本体２０の後側の突枠３９に外嵌され、この突枠３９よりも後方へ張り出し、且つ、壁体２の表面よりも後方に張り出さないようにして取り付けられている。
【００３３】
そして、これら張出枠２３、２３に対して、壁体２の表面パネル材１１、１１に貼り付けられている壁紙（クロス）１２、１２が巻き付けられている。具体的には、壁紙（クロス）１２、１２を、張出枠２３、２３の内周面に沿わせるようにして、蓋体２２、２２の外周手前付近まで回り込ませて、その回り込ませた部分を張出枠２３、２３の内周面に貼り付けている。なお、この壁紙（クロス）１２、１２の巻き付けに際しては、張出枠２３、２３のテーパー面上にパテ材５５、５５を充填して、壁紙（クロス）１２、１２の切れを防止している。
【００３４】
上記構成の壁埋込型照明ユニット１においては、ＬＥＤ光源２１を点灯させることで、ＬＥＤ光源２１からの光が蓋体２２、２２の面材４１、４１を通して壁体２を挟んだ廊下空間３と吹き抜け空間４の両方をスポット的に照らして、装飾性の高い空間を演出するようになっている。しかも、ＬＥＤ光源２１を使用しているので、長寿命化及び省エネルギー化を図ることができる。
【００３５】
なお、壁体２への壁埋込型照明ユニット１の装着に際して、着脱可能な蓋体２２を廊下空間３に面するように、着脱不能な蓋体２２を吹き抜け空間４に面するように配置しておくことで、廊下空間３において蓋体２２を取り外して、ＬＥＤ光源２１のメンテナンス作業を安全に行うことができ、また吹き抜け空間４への蓋体２２の落下を確実に防止することができる。
【００３６】
また、上述したように、ＬＥＤ光源２１及び止付部材５０・・を、蓋体２２、２２の面材４１、４１に対向しないように配置しているので、蓋体２２、２２の面材４１、４１として、透明若しくはユニット本体２０の内部が透けて見えるようなものを使用した場合でも、ＬＥＤ光源２１からの光が面材４１、４１を通して直接目に入り難くなり、また外部から面材４１、４１を通してＬＥＤ光源２１及び止付部材５０・・が見え難くなって、見栄えを良好に維持することができる。しかも、このように透明若しくはユニット本体２０の内部が透けて見えるような面材４１、４１も支障なく使用できるので、面材４１、４１の種類が制限されずに、バリエーション展開も容易となり、またユニット本体２０の内部空間を各種装飾品を展示するための展示用空間として有効に利用することも可能となって、使用性を高めることができる。
【００３７】
さらに、ユニット本体２０に壁紙巻き付け用の張出枠２３、２３を取り付けて、これら張出枠２３、２３を利用して、壁体２の表面の壁紙（クロス）１２、１２を蓋体２２、２２の外周手前付近まで回り込ませているので、照明ユニット１と壁体２との一体感を高めて、照明ユニット１を壁体２に同化させながら、同時に壁体２の厚み感も演出することができ、見栄えをより一層高めることができる。
【００３８】
図８及び図９は、他の実施形態に係る壁埋込型照明ユニット６０を、壁体２に装着した状態を示している。この壁埋込型照明ユニット６０においては、ユニット本体２０が、前面に光照射用の開口部２０ａを有し、後面が背面板３３によって塞がれた前面開放の箱形に形成されている。このユニット本体２０は、壁体２の凹部６１に内嵌されるようにして、壁体２に埋め込まれており、この埋込状態において、開口部２０ａが壁体２の表面に開口している。そして、ユニット本体２０の開口部２０ａに、蓋体２２が複数の止付部材５０・・によって着脱可能に取り付けられている。
【００３９】
この壁埋込型照明ユニット６０は、壁体２の片面側に面する空間のみを照明する場合に好適に用いられる。なお、その他の構成は、上記の壁埋込型照明ユニット１と同様であり、図８及び図９において壁埋込型照明ユニット１と同様の機能を有する部材については、同符号を付してある。
【００４０】
この発明は、上記実施形態に限定されるものではなく、この発明の範囲内で上記実施形態に多くの修正及び変更を加え得ることは勿論である。
【符号の説明】
【００４１】
１、６０・・壁埋込型照明ユニット、２・・壁体、１２・・壁紙、２０・・ユニット本体、２０ａ・・開口部、２１・・ＬＥＤ光源、２２・・蓋体、２３・・張出枠、４０・・外周枠、４０ａ・・内周端、４１・・面材、５０・・止付部材
【図１】
2011154808.tif 000003
【図２】
2011154808.tif 000004
【図３】
2011154808.tif 000005
【図４】
2011154808.tif 000006
【図５】
2011154808.tif 000007
【図６】
2011154808.tif 000008
【図７】
2011154808.tif 000009
【図８】
2011154808.tif 000010
【図９】
2011154808.tif 000011